(57)【特許請求の範囲】
【請求項１】
ロング・ターム・エボリューションシステムに用いられるトランキングサービスの実現方法であって、
発展型ノードＢが発呼端末から送信されるコール要求メッセージを、トランキング端末の上りメッセージを載せるための上り方向のトランキング共通制御チャネルＴＣＣＣＨで受信することを含み、
前記トランキング端末が前記コール要求メッセージをカプセル化する時、前記コール要求メッセージをカプセル化したデータパケットの媒体アクセス制御ＭＡＣヘッダーにおける予約ビットを、前記コール要求メッセージがトランキングコール要求メッセージであることを指示するように設定するトランキングサービスの実現方法。
【請求項２】
前記発展型ノードＢがコール要求メッセージを受信した後、コール要求メッセージをカプセル化したデータパケットの媒体アクセス制御ＭＡＣヘッダーにおける予約ビットに基づき、前記コール要求メッセージがトランキングコール要求メッセージであるか否かを判定し、そうであると、コールをスケジューリングプラットフォームＰＤＳまでトリガーすることをさらに含む請求項１に記載の方法。
【請求項３】
ロング・ターム・エボリューションシステムに用いられるトランキングサービスの実現方法であって、
発展型ノードＢがトランキングコール要求メッセージを受信した後、トランキングページングメッセージを載せるための下り方向のトランキングページング制御チャネルＴＰＣＣＨで、発呼端末のトランキンググループにおけるリスニング端末にトランキングページングメッセージを送信することを含み、
前記ＴＰＣＣＨに載せられたメッセージにカプセル化されたデータパケットの媒体アクセス制御ＭＡＣヘッダーにおける予約ビット指示メッセージがトランキングサービスのメッセージであるトランキングサービスの実現方法。
【請求項４】
前記方法は、前記発展型ノードＢが前記ＴＰＣＣＨで前記発呼端末のトランキンググループにおけるリスニング端末にトランキングページングメッセージを送信する時、前記トランキングページングメッセージにトランキング無線ネットワーク一時識別子Ｔ−ＲＮＴＩを含むことをさらに含み、
または、前記方法は、前記発展型ノードＢが、トランキング端末の上りメッセージを載せるためのトランキング共通制御チャネルＴＣＣＣＨで前記リスニング端末のページング応答メッセージを受信し、ページング応答メッセージを受信した後、相応なリスニング端末がページングされたと判定することをさらに含む請求項３に記載の方法。
【請求項５】
前記方法は、トランキング端末が発展型ノードＢから送信されるトランキングページングメッセージを受信し、且つ発展型ノードＢにページング応答メッセージを送信した後、発展型ノードＢとともに、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立することをさらに含み、
好ましいのは、前記方法は、前記トランキング端末が前記ＴＧＣＣＨにより前記ＴＧＴＣＨのチャネルリソース情報を受信し、予め受信されたトランキング無線ネットワーク一時識別子Ｔ−ＲＮＴＩでＴＧＣＣＨを復調し、前記ＴＧＴＣＨのチャネルリソース情報を取得し、前記ＴＧＴＣＨを傍受し、ＰＤＳの前記ＴＧＴＣＨで送信される発呼端末のトランキングデータを受信することをさらに含む請求項３に記載の方法。
【請求項６】
ロング・ターム・エボリューションシステムに用いられるトランキングサービスの実現方法であって、
発展型ノードＢがリスニング端末をページングし、ページングしたリスニング端末の所在するセルで、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立することを含み、
前記ＴＧＴＣＨとＴＧＣＣＨに載せられたメッセージにカプセル化されたデータパケットの媒体アクセス制御ＭＡＣヘッダーにおける予約ビット指示メッセージがトランキングサービスのメッセージであるトランキングサービスの実現方法。
【請求項７】
前記方法は、前記発展型ノードＢはＴＧＴＣＨとＴＧＣＣＨを確立した後、前記ＴＧＣＣＨにより前記ＴＧＴＣＨのチャネルリソース情報を前記リスニング端末に送信し、前記リスニング端末が前記ＴＧＴＣＨチャネルを傍受するようにトリガーすることをさらに含む請求項６に記載の方法。
【請求項８】
発呼端末から送信されるコール要求メッセージを、トランキング端末の上りメッセージを載せるための上り方向のトランキング共通制御チャネルＴＣＣＣＨで受信するように設定される受信ユニットを含み、
前記受信ユニットがコール要求メッセージを受信した後、コール要求メッセージをカプセル化したデータパケットの媒体アクセス制御ＭＡＣヘッダーにおける予約ビットに基づき、前記コール要求メッセージがトランキングコール要求メッセージであるか否かを判定し、そうであると、コールをスケジューリングプラットフォームＰＤＳまでトリガーするように設定される判定ユニットをさらに含み、
または、
トランキングページングメッセージを載せるための下り方向のトランキングページング制御チャネルＴＰＣＣＨで、発呼端末のトランキンググループにおけるリスニング端末にトランキングページングメッセージを送信するように設定されるページングユニットをさらに含み、前記ＴＰＣＣＨに載せられたメッセージにカプセル化されたデータパケットの媒体アクセス制御ＭＡＣヘッダーにおける予約ビット指示メッセージがトランキングサービスのメッセージである発展型ノードＢ。
【請求項９】
ページングしたリスニング端末の所在するセルで、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立するように設定される第１チャネル確立ユニットを含み、
前記ＴＧＴＣＨとＴＧＣＣＨに載せられたメッセージにカプセル化されたデータパケットの媒体アクセス制御ＭＡＣヘッダーにおける予約ビット指示メッセージがトランキングサービスのメッセージである発展型ノードＢ。
【請求項１０】
前記発展型ノードＢは、前記ＴＧＣＣＨにより前記ＴＧＴＣＨのチャネルリソース情報を前記リスニング端末に送信し、前記リスニング端末が前記ＴＧＴＣＨチャネルを傍受するようにトリガーするように設定されるチャネルリソース情報送信ユニットをさらに含む請求項９に記載の発展型ノードＢ。
【請求項１１】
トランキング端末の上りメッセージを載せるための上り方向のトランキング共通制御チャネルＴＣＣＣＨで、発展型ノードＢにコール要求メッセージを送信するように設定されるコール要求ユニットを含み、
前記コール要求ユニットは、前記コール要求メッセージをカプセル化する時、前記コール要求メッセージをカプセル化したデータパケットの媒体アクセス制御ＭＡＣヘッダーにおける予約ビットを、前記コール要求メッセージがトランキングコール要求メッセージであることを指示するように設定することにより、上り方向のトランキング共通制御チャネルＴＣＣＣＨで発展型ノードＢにコール要求メッセージを送信するように設定される端末。
【請求項１２】
前記端末は、発展型ノードＢとともに確立した、発呼端末の上り下りサービスデータを載せる上り下り専用サービスチャネルにより、トランキングデータをスケジューリングプラットフォームＰＤＳに送信するように設定されるトランキングデータ送信ユニットをさらに含む請求項１１に記載の端末。
【請求項１３】
発展型ノードＢから送信されるトランキングページングメッセージを受信し、且つ発展型ノードＢにページング応答メッセージを送信するように設定されるページング応答ユニットと、
発展型ノードＢとともに、トランキングサービスの下りサービスデータを載せるための下り方向のトランキングサービスチャネルＴＧＴＣＨ、及びトランキングサービスの下り制御メッセージを載せるためのトランキング制御チャネルＴＧＣＣＨを確立するように設定されるチャネル確立ユニットと、をさらに含み、
好ましいのは、前記ＴＧＣＣＨにより前記ＴＧＴＣＨのチャネルリソース情報を受信し、予め受信されたトランキング無線ネットワーク一時識別子Ｔ−ＲＮＴＩでＴＧＣＣＨを復調し、前記ＴＧＴＣＨのチャネルリソース情報を取得するように設定される復調ユニットと、
前記ＴＧＴＣＨを傍受し、ＰＤＳの前記ＴＧＴＣＨで送信される発呼端末のトランキングデータを受信するように設定される傍受ユニットと、をさらに含む請求項１１に記載の端末。
【発明の詳細な説明】
【技術分野】
【０００１】
本発明はロング・ターム・エボリューション（ＬＴＥ、Ｌｏｎｇ  Ｔｅｒｍ  Ｅｖｏｌｕｔｉｏｎ）システムに関し、特にトランキングサービスの実現方法、発展型ノードＢ及び端末に関する。
【背景技術】
【０００２】
ＬＴＥは３ＧＰＰロング・ターム・エボリューションプロジェクトであり、近年、３ＧＰＰにより開始される最大の新技術研究開発プロジェクトであり、このＯＦＤＭ／ＦＤＭＡを中核とする技術を「準４Ｇ」技術と見なすことができる。ＬＴＥは最大速度が高く、システム遅延が小さく、帯域幅の柔軟な設定をサポートすることを主なメリットとする。例えば、２０ＭＨｚスペクトル帯域幅によって下り１００Ｍｂｐｓ、上り５０Ｍｂｐｓの最大速度を提供可能で、ユーザプレーン内部の一方向伝送遅延が５ｍｓ未満で、１．２５ＭＨｚ〜２０ＭＨｚ帯域幅の柔軟な設定をサポートし、さらにキャリアアグリゲーション技術でセル容量をより一層大きくすることができる。ＬＴＥは応用将来性が高い。
【０００３】
ＬＴＥに基づくトランキング技術は、必要に応じて様々な特定のサービスをカスタマイズすることができる。一呼百応（多者間通話方式）及びビデオ監視などの各機能を実現し、その潜在的な市場が大きい。どのようにトランキングサービスからＬＴＥに円滑に移行するかは、研究に値する課題である。
【発明の概要】
【発明が解決しようとする課題】
【０００４】
本発明の実施例が解決しようとする技術的問題は、ＬＴＥシステムにおいてトランキングサービスを実現することができ、且つＬＴＥサービスと並行することができるトランキングサービスの実現方法、発展型ノードＢ及び端末を提供することである。
【課題を解決するための手段】
【０００５】
上記技術的問題を解決するために、以下の技術的解決手段を用いる。
【０００６】
ロング・ターム・エボリューションシステムに用いられるトランキングサービスの実現方法であって、
発展型ノードＢが発呼端末から送信されるコール要求メッセージを、トランキング端末の上りメッセージを載せるための上り方向のトランキング共通制御チャネルＴＣＣＣＨで受信することを含む。
【０００７】
選択的に、該方法は、前記発展型ノードＢがコール要求メッセージを受信した後、コール要求メッセージをカプセル化したデータパケットの媒体アクセス制御ＭＡＣヘッダーにおける予約ビットに基づき、前記コール要求メッセージがトランキングコール要求メッセージであるか否かを判定し、そうであると、コールをスケジューリングプラットフォームＰＤＳまでトリガーすることをさらに含んでもよい。
【０００８】
ロング・ターム・エボリューションシステムに用いられるトランキングサービスの実現方法であって、
発展型ノードＢがトランキングコール要求メッセージを受信した後、トランキングページングメッセージを載せるための下り方向のトランキングページング制御チャネルＴＰＣＣＨで、発呼端末のトランキンググループにおけるリスニング端末にトランキングページングメッセージを送信することを含む。
【０００９】
選択的に、前記ＴＰＣＣＨに載せられたメッセージをカプセル化したデータパケットの媒体アクセス制御ＭＡＣヘッダーにおける予約ビット指示メッセージはトランキングサービスのメッセージであってもよい。
【００１０】
選択的に、該方法は、前記発展型ノードＢが前記ＴＰＣＣＨで前記発呼端末のトランキンググループにおけるリスニング端末にトランキングページングメッセージを送信する時、前記トランキングページングメッセージにトランキング無線ネットワーク一時識別子Ｔ−ＲＮＴＩを載せることをさらに含んでもよい。
【００１１】
選択的に、該方法は、前記発展型ノードＢがトランキング端末の上りメッセージを載せるためのトランキング共通制御チャネルＴＣＣＣＨで前記リスニング端末のページング応答メッセージを受信し、ページング応答メッセージを受信した後、相応なリスニング端末がページングされたと判定することをさらに含んでもよい。
【００１２】
ロング・ターム・エボリューションシステムに用いられるトランキングサービスの実現方法であって、
発展型ノードＢがリスニング端末をページングし、ページングしたリスニング端末の所在するセルで、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立することを含む。
【００１３】
選択的に、前記ＴＧＴＣＨとＴＧＣＣＨに載せられたメッセージをカプセル化したデータパケットの媒体アクセス制御ＭＡＣヘッダーにおける予約ビット指示メッセージはトランキングサービスのメッセージであってもよい。
【００１４】
選択的に、該方法は、前記発展型ノードＢがＴＧＴＣＨとＴＧＣＣＨを確立した後、前記ＴＧＣＣＨにより前記ＴＧＴＣＨのチャネルリソース情報を前記リスニング端末に送信し、前記リスニング端末が前記ＴＧＴＣＨチャネルを傍受するようにトリガーすることをさらに含んでもよい。
【００１５】
ロング・ターム・エボリューションシステムに用いられるトランキングサービスの実現方法であって、
発展型ノードＢと発呼端末が、前記発呼端末の上り下りサービスデータを載せる上り下り専用サービスチャネルと、前記発呼端末と前記発展型ノードＢとの間の制御メッセージを載せる上り下り専用制御チャネルとを確立することを含む。
【００１６】
選択的に、前記上り下り専用サービスチャネルと上り下り専用制御チャネルに載せられたメッセージをカプセル化したデータパケットの媒体アクセス制御ＭＡＣヘッダーにおける予約ビット指示メッセージはトランキングサービスのメッセージであってもよい。
【００１７】
ロング・ターム・エボリューションシステムに用いられるトランキングサービスの実現方法であって、
トランキング端末が、トランキング端末の上りメッセージを載せるための上り方向のトランキング共通制御チャネルＴＣＣＣＨで、発展型ノードＢにコール要求メッセージを送信することを含む。
【００１８】
選択的に、該方法は、前記トランキング端末が前記コール要求メッセージをカプセル化する時、前記コール要求メッセージをカプセル化したデータパケットの媒体アクセス制御ＭＡＣヘッダーにおける予約ビットを、前記コール要求メッセージがトランキングコール要求メッセージであることを指示するように設定することをさらに含んでもよい。
【００１９】
選択的に、該方法は、前記トランキング端末が、発展型ノードＢとともに確立した、前記発呼端末の上り下りサービスデータを載せる上り下り専用サービスチャネルにより、トランキングデータをスケジューリングプラットフォームＰＤＳに送信することをさらに含んでもよい。
【００２０】
ロング・ターム・エボリューションシステムに用いられるトランキングサービスの実現方法であって、
トランキング端末が発展型ノードＢから送信されるトランキングページングメッセージを受信し、且つ発展型ノードＢにページング応答メッセージを送信した後、発展型ノードＢとともに、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立することを含む。
【００２１】
選択的に、該方法は、前記トランキング端末が前記ＴＧＣＣＨにより前記ＴＧＴＣＨのチャネルリソース情報を受信し、予め受信されたトランキング無線ネットワーク一時識別子Ｔ−ＲＮＴＩでＴＧＣＣＨを復調し、前記ＴＧＴＣＨのチャネルリソース情報を取得し、前記ＴＧＴＣＨを傍受し、ＰＤＳから前記ＴＧＴＣＨで送信される発呼端末のトランキングデータを受信することをさらに含んでもよい。
【００２２】
発展型ノードＢであって、発呼端末から送信されるコール要求メッセージを、トランキング端末の上りメッセージを載せるための上り方向のトランキング共通制御チャネルＴＣＣＣＨで受信するように設定される受信ユニットを備える。
【００２３】
選択的に、発展型ノードＢは、前記受信ユニットがコール要求メッセージを受信した後、コール要求メッセージをカプセル化したデータパケットの媒体アクセス制御ＭＡＣヘッダーにおける予約ビットに基づき、前記コール要求メッセージがトランキングコール要求メッセージであるか否かを判定し、そうであると、コールをスケジューリングプラットフォームＰＤＳまでトリガーする判定ユニットをさらに備えてもよい。
【００２４】
発展型ノードＢであって、トランキングページングメッセージを載せるための下り方向のトランキングページング制御チャネルＴＰＣＣＨで、発呼端末のトランキンググループにおけるリスニング端末にトランキングページングメッセージを送信するように設定されるページングユニットを備える。
【００２５】
選択的に、前記ＴＰＣＣＨに載せられたメッセージをカプセル化したデータパケットの媒体アクセス制御ＭＡＣヘッダーにおける予約ビット指示メッセージはトランキングサービスのメッセージであってもよい。
【００２６】
発展型ノードＢであって、ページングしたリスニング端末の所在するセルで、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立する第１チャネル確立ユニットを備える。
【００２７】
選択的に、前記ＴＧＴＣＨとＴＧＣＣＨに載せられたメッセージをカプセル化したデータパケットの媒体アクセス制御ＭＡＣヘッダーにおける予約ビット指示メッセージはトランキングサービスのメッセージであってもよい。
【００２８】
選択的に、該発展型ノードＢは、前記ＴＧＣＣＨにより前記ＴＧＴＣＨのチャネルリソース情報を前記リスニング端末に送信し、前記リスニング端末が前記ＴＧＴＣＨチャネルを傍受するようにトリガーするように設定されるチャネルリソース情報送信ユニットをさらに備えてもよい。
【００２９】
発展型ノードＢであって、発呼端末とともに、前記発呼端末の上り下りサービスデータを載せる上り下り専用サービスチャネルと、前記発呼端末と前記発展型ノードＢとの間の制御メッセージを載せる上り下り専用制御チャネルと、を確立するように設定される第２チャネル確立ユニットを備える。
【００３０】
選択的に、前記上り下り専用サービスチャネルと上り下り専用制御チャネルに載せられたメッセージをカプセル化したデータパケットのＭＡＣヘッダーにおける予約ビット指示メッセージはトランキングサービスのメッセージであってもよい。
【００３１】
端末であって、トランキング端末の上りメッセージを載せるための上り方向のトランキング共通制御チャネルＴＣＣＣＨで発展型ノードＢにコール要求メッセージを送信するように設定されるコール要求ユニットを備える。
【００３２】
選択的に、前記コール要求ユニットは、前記コール要求メッセージをカプセル化する時、前記コール要求メッセージをカプセル化したデータパケットの媒体アクセス制御ＭＡＣヘッダーにおける予約ビットを、前記コール要求メッセージがトランキングコール要求メッセージであることを指示するように設定することにより、上り方向のトランキング共通制御チャネルＴＣＣＣＨで発展型ノードＢにコール要求メッセージを送信するように設定されてもよい。
【００３３】
選択的に、該端末は、発展型ノードＢとともに確立した、前記発呼端末の上り下りサービスデータを載せる上り下り専用サービスチャネルにより、トランキングデータをスケジューリングプラットフォームＰＤＳに送信するように設定されるトランキングデータ送信ユニットをさらに備えてもよい。
【００３４】
端末であって、
発展型ノードＢから送信されるトランキングページングメッセージを受信し、且つ発展型ノードＢにページング応答メッセージを送信するように設定されるページング応答ユニットと、
発展型ノードＢとともに、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立するように設定されるチャネル確立ユニットと、を備える。
【００３５】
選択的に、該端末は、
前記ＴＧＣＣＨにより前記ＴＧＴＣＨのチャネルリソース情報を受信し、予め受信されたトランキング無線ネットワーク一時識別子Ｔ−ＲＮＴＩでＴＧＣＣＨを復調し、前記ＴＧＴＣＨのチャネルリソース情報を取得するように設定される復調ユニットと、
前記ＴＧＴＣＨを傍受し、ＰＤＳから前記ＴＧＴＣＨで送信される発呼端末のトランキングデータを受信するように設定される傍受ユニットと、を備えてもよい。
【発明の効果】
【００３６】
要すると、本発明の実施例は、ＬＴＥシステムの標準プロトコルを基に、上り下り方向にトランキングサービス専用論理チャネルを追加することにより、トランキング機能を実現し、同一のシステムにおいてＬＴＥサービスとトランキングサービスとの並行を同時にサポートする。ＬＴＥシステムを基にトランキング通信のニーズを満たすことができ、同一のシステムにおけるトランキングサービスとＬＴＥサービスとの共存を実現する。
【図面の簡単な説明】
【００３７】
【図１】図１は本発明の実施例に係るトランキングサービスの実現方法のフローチャートである。
【図２】図２は本発明の実施例に係る発展型ノードＢの構成図である。
【図３】図３は本発明の実施例に係る端末の構成図である。
【図４】図４は本発明の実施例に係る別の端末の構成図である。
【発明を実施するための形態】
【００３８】
本発明の実施例はＬＴＥに基づきトランキングサービスを実現するものであり、従来、ＬＴＥに基づきトランキングサービスを実現する方法がいくつかあるが、それらの方法はＬＴＥサービスとトランキングサービスとの共存時の設計を十分に考慮しておらず、且つトランキングサービスの論理チャネルが異なる識別子により区分され、ＬＴＥプロトコルにおける多すぎる論理チャネルリソースを使用し、後続のＬＴＥプロトコル拡張時にトランキングサービスに悪影響を及ぼす。本発明の実施例は上記要因を十分に考慮し、ＭＡＣヘッダーにおける予約ビットでトランキングサービスの論理チャネルを区分し、ＬＴＥリソースの使用量を減少させることを提案する。
【００３９】
ＬＴＥの従来プロトコルにおける専用チャネルはいずれもポイントツーポイント通信方式を用いるが、トランキングサービスのニーズを満たすことができない。ＬＴＥシステムにおいてトランキングサービスを実現するために、ＬＴＥシステムにおいてトランキング専用チャネルを追加する必要があり、本実施形態において、
下り方向にトランキングページング制御チャネル（ＴＰＣＣＨ、Ｔｒｕｎｋｉｎｇ  Ｐａｇｉｎｇ  Ｃｏｎｔｒｏｌ  Ｃｈａｎｎｅｌ）、トランキングサービスチャネル（ＴＧＴＣＨ、Ｔｒｕｎｋｉｎｇ  Ｇｒｏｕｐ  Ｔｒａｆｆｉｃ  Ｃｈａｎｎｅｌ）及びトランキング制御チャネル（ＴＧＣＣＨ、Ｔｒｕｎｋｉｎｇ  Ｇｒｏｕｐ  Ｃｏｎｔｒｏｌ  Ｃｈａｎｎｅｌ）を追加して、トランキング端末の下り制御メッセージ及び下りサービスデータを載せ、
上り方向にトランキング共通制御チャネル（ＴＣＣＣＨ、Ｔｒｕｎｋｉｎｇ  Ｃｏｍｍｏｎ  Ｃｏｎｔｒｏｌ  Ｃｈａｎｎｅｌ）を追加して、トランキング端末の上りメッセージを載せる。
【００４０】
本実施形態におけるトランキング関連シグナリング及びデータが異なる論理チャネルに載せられることにより、ＬＴＥシステムにおけるトランキングサービスを実現するとともに、元のＬＴＥサービスが正常に実行可能であることを確保する。本発明の実施例はＬＴＥサービスとトランキングサービスとの共存時におけるサービスの実現を十分に考慮し、応用将来性が高い。
【００４１】
以下、ＬＴＥに追加された上記トランキング専用チャネルをそれぞれ説明する。
【００４２】
下り方向について、
ＴＧＴＣＨトランキングサービスチャネルは、ポイントツーマルチポイントモードであり、トランキングサービスの下りサービスデータを載せることに用いられる。
【００４３】
ＴＧＣＣＨトランキング制御チャネルは、ポイントツーマルチポイントモードであり、グループコール確立・解除、発言権通知、隣接セルリソース情報、ＰＤＳ（スケジューリングプラットフォーム）と端末間の下りＮＡＳ（非アクセス層）などの制御メッセージを含むトランキングサービスの下り制御メッセージを載せる。
【００４４】
ＴＧＴＣＨとＴＧＣＣＨはいずれも下り共有チャネル（ＤＬ−ＳＣＨ）にマッピングされ、グループに対応するグループ無線ネットワーク一時識別子（Ｔ−ＲＮＴＩ、１つのｅＮＢにおいて各々のグループが唯一のＴ−ＲＮＴＩを有する）によりスクランブリングされることにより、下りデータがブロードキャストされ、グループにおける複数の端末が同時に復調される機能を実現する。
【００４５】
ＬＴＥ専用チャネルとの区別をつけるために、追加されたＴＧＴＣＨとＴＧＣＣＨに載せられたサービスについて、メッセージをパケット組立する時、メッセージをカプセル化したデータパケットのＭＡＣヘッダーにおける２つの予約ビットを１１（又は０１又は１０）に設定するが、ＬＴＥ専用チャネルに載せられたサービスについて、パケット組立時、ＭＡＣヘッダーにおける予約ビットを００に設定し、論理チャネル識別子（ＬＣＩＤ）が依然としてＬＴＥプロトコルで定められた範囲（００００１〜０１０１０）を用いる。
【００４６】
ＴＰＣＣＨトランキングページング制御チャネルは、ポイントツーマルチポイントモードであり、トランキングページングメッセージを載せ、グループのＴ−ＲＮＴＩを載せることに用いられる。ＴＰＣＣＨはトランキングページングチャネル（ＴＰＣＨ）にマッピングされ、ＴＰ−ＲＮＴＩによりスクランブリングされる。
【００４７】
上り方向について、
ＴＣＣＣＨトランキング共通制御チャネルは、ポイントツーポイントモードであり、発言権申請、端末がｅＮＢにＣＱＩ情報を報告すること、端末がＰＤＳにトランキングシグナリングと端末状態情報を送信することなどを含むトランキング端末の上りメッセージを載せることに用いられ、上り共有チャネル（ＵＬ−ＳＣＨ）にマッピングされ、ｅＮＢに報告する。ＴＣＣＣＨでメッセージをカプセル化したデータのＭＡＣヘッダーにおける予約ビットを１１（又は０１又は１０）に設定し、ＬＴＥデータとの区別をつける。
【００４８】
トランキングサービスにおけるスピークユーザ（スピークしているユーザ）に対して、上り下り方向にＬＴＥシステムの元の専用制御チャネル（ＤＣＣＨ）をそれぞれ多重化して専用シグナリングを載せ、元の専用サービスチャネル（ＤＴＣＨ）を多重化して専用データを載せ、ＭＡＣヘッダーにおける予約ビットによりＬＴＥサービスとトランキングサービスとの区別を実現する。ＤＴＣＨはＬＴＥに基づくトランキングサービスに用いられる時、ＭＡＣ  ＰＤＵ  Ｈｅａｄｅｒの予約ビットを１１（又は１０又は０１）に設定し、さもないと、００に設定する。ＬＣＩＤの範囲は依然としてＬＴＥプロトコルで定められる範囲（００００１〜０１０１０）を用いる。
【００４９】
スピークユーザがＬＴＥサービスとトランキングサービスを同時に行う時、ｅＮＢはＭＡＣヘッダーにおける予約ビットに基づき、現在がＬＴＥサービスデータであるかトランキングサービスデータであるかを判定することができる。
【００５０】
本実施形態のトランキングサービスの実現方法は、
トランキング端末がｅＮＢにコール要求メッセージを確立し、トランキングコール要求メッセージであると、上りメッセージをＴＣＣＣＨに載せ、メッセージをカプセル化したデータパケットのＭＡＣヘッダーにおける予約ビットを１１（又は０１、１０）に設定し、
ＬＴＥコールであると、上りメッセージをＣＣＣＨに載せ、メッセージをカプセル化したデータパケットのＭＡＣヘッダーにおける予約ビットを００に設定し、
ｅＮＢは復調されたＭＡＣヘッダーにおける予約ビットに基づき、コール要求メッセージがトランキングコール要求メッセージであるか否かを判定し、トランキングコール要求メッセージであると、ＰＤＳにグループコール確立要求を送信し、さもないと、ＬＴＥにアクセスし、ＭＭＥに接続確立要求を送信する。以下、トランキングコールを例として説明するステップ１と、
ＰＤＳが発呼端末に授権し、発呼端末とｅＮＢが上り下りＤＴＣＨチャネルを確立して発呼端末の上り下りサービスデータを載せ、専用上り下りＤＣＣＨチャネルを確立して発呼端末とｅＮＢとの間の制御メッセージを載せるステップ２と、
ｅＮＢはＴＰＣＣＨによりリスン状態のトランキング端末をページングし、リスニング端末がＴＣＣＣＨチャネルでページング応答メッセージを返し、ｅＮＢはページング応答メッセージを有するセルにおいてＴＧＣＣＨとＴＧＴＣＨを確立し、且つ確立されたＴＧＴＣＨのチャネルリソース情報をＴＧＣＣＨによりリスニング端末にブロードキャストするステップ３と、
リスニング端末がＴＰＣＣＨに載せられたＴ−ＲＮＴＩでＴＧＣＣＨを復調し、載せられたＴＧＴＣＨのチャネルリソース情報を取得し、ＴＧＴＣＨチャネルを傍受するステップ４と、
発呼端末のトランキングデータ（音声データ）が専用ＤＴＣＨによりＰＤＳにアップロードされ、ＰＤＳがＴＧＴＣＨチャネルのセルでＴＧＴＣＨにより発呼端末の音声データ（又はほかのサービスデータ、通常トランキングデータ）を転送し、トランキンググループにおけるリスンユーザがＴＧＴＣＨにおける音声（又はほかのサービスデータ）を解析することにより、トランキング通信ニーズを満たすステップ５と、を含む。
【００５１】
以下、図面及び具体的な実施形態を参照しながら、本発明の具体的な実施をより詳細に説明する。
【００５２】
本実施形態において、ＬＴＥシステムにおいてトランキングサービスを実現するために、いくつかのトランキングサービス専用の上り下り論理チャネルが追加される。
【００５３】
下り方向について、ポイントツーマルチポイントモードであり、トランキングサービスデータを載せるためのＴＧＴＣＨトランキングサービスチャネルを導入する。ポイントツーマルチポイントモードであり、グループコール確立・解除、発言権通知、隣接セルリソース情報、ＰＤＳと端末間の下りＮＡＳなどの制御情報を含むトランキング端末の制御メッセージを載せるＴＧＣＣＨトランキング制御チャネルを導入する。ポイントツーマルチポイントモードであり、トランキングページングメッセージを載せ、グループのＴ−ＲＮＴＩを載せるためのＴＰＣＣＨトランキングページング制御チャネルを導入する。
【００５４】
上り方向について、ポイントツーポイントモードであり、発言権申請、端末がｅＮＢにＣＱＩ情報を報告すること、端末がＰＤＳにトランキングシグナリングと端末状態情報を送信することなどを載せるためのＴＣＣＣＨトランキング共通制御チャネルを導入する。
【００５５】
シングルコールの場合及びグループコールの場合に、スピークユーザに対して、上り下り方向にＬＴＥシステムの元のＤＣＣＨチャネルをそれぞれ多重化して専用シグナリングを載せ、元のＤＴＣＨチャネルを多重化して専用データを載せ、ＭＡＣ  ＰＤＵ  Ｈｅａｄｅｒにおける予約ビットによりＬＴＥサービスとトランキングサービスとの区別を実現し、ＤＴＣＨがトランキングサービスに用いられる時、ＭＡＣ  ＰＤＵ  Ｈｅａｄｅｒにおける予約ビットを１１（又は１０又は０１）に設定し、さもないと、００に設定する。スピークユーザがＬＴＥサービスとトランキングサービスを同時に行う時、ｅＮＢはＭＡＣヘッダーにおける予約ビットに基づき、現在がＬＴＥサービスデータであるかトランキングサービスデータであるかを判定することができる。
【００５６】
以下の具体的な実施形態によって、本願のトランキングサービスの実現方法をさらに説明し、以下、トランキングサービス確立を例として具体的な実施形態を詳細に説明するが、本発明を限定するものではない。
【００５７】
図１に示されるように、本実施形態のトランキングサービスの実現方法は、
トランキング端末がｅＮＢにトランキングコール要求メッセージを確立し、上りＴＣＣＣＨに載せ、トランキングコール要求メッセージをカプセル化したデータパケットのＭＡＣヘッダーの予約ビットを１１（又は１０、０１）に設定するステップ１０１と、
ｅＮＢがＭＡＣヘッダーにおける予約ビットを復調し、トランキングコール要求メッセージであると判定し、ＰＤＳにグループコール要求を確立するステップ１０２と、
発呼端末とｅＮＢが上り下りＤＴＣＨチャネルを確立して発呼端末の上り下りサービスデータを載せ、専用上り下りＤＣＣＨチャネルを確立して発呼端末とｅＮＢとの間のシグナリングを載せることにより、ＲＲＣ接続を確立し、ＤＴＣＨとＤＣＣＨに載せられたメッセージをカプセル化したデータパケットのＭＡＣヘッダーの予約ビットを１１（又は１０、０１）に設定するステップ１０３と、
ＰＤＳがＮＡＳメッセージにより発言権を発呼端末に授権し、発呼端末が発言権を授権されて発言することができるステップ１０４と、
ステップ１０４と並行して、ｅＮＢがＴＰＣＣＨでトランキングページングメッセージを送信し、ページンググループ番号及び対応するＴ−ＲＮＴＩを載せるステップ１０５と、
トランキンググループにおけるリスニング端末がトランキングページングメッセージを受信した後、ＴＧＣＣＨチャネルを復調するためのＴ−ＲＮＴＩを保存し、且つ上りＴＣＣＣＨでページング応答メッセージを返すステップ１０６と、
ｅＮＢがページング応答メッセージを受信した後、相応なセルにおいてリスニング端末に対して下りＴＧＴＣＨチャネルを確立し、ＴＧＴＣＨで発呼端末の音声データを転送し、且つ確立されたＴＧＴＣＨのチャネルリソース情報をＴＧＣＣＨでブロードキャストするステップ１０７と、
トランキンググループにおけるリスニング端末が保存されたＴ−ＲＮＴＩでＴＧＣＣＨを復調し、ＴＧＴＣＨのチャネルリソース情報を取得し、ＴＧＴＣＨにおける音声サービスの傍受を開始するステップ１０８と、
トランキンググループにおけるリスニング端末がＴＧＴＣＨから発呼端末の音声データ（又はほかのサービスデータ）を解析し、トランキング通信を実現するステップ１０９と、を含む。
【００５８】
図２に示されるように、本実施形態は発展型ノードＢをさらに提供し、発呼端末から送信されるコール要求メッセージを、トランキング端末の上りメッセージを載せるための上り方向のトランキング共通制御チャネルＴＣＣＣＨで受信するように設定される受信ユニット２０１を備える。
【００５９】
発展型ノードＢは、前記受信ユニット２０１がコール要求メッセージを受信した後、コール要求メッセージをカプセル化したデータパケットの媒体アクセス制御ＭＡＣヘッダーにおける予約ビットに基づき、コール要求メッセージがトランキングコール要求メッセージであるか否かを判定し、そうであると、コールをスケジューリングプラットフォームＰＤＳまでトリガーするように設定される判定ユニット２０２をさらに備える。
【００６０】
図２に示されるように、本実施形態に係る別の発展型ノードＢは、トランキングページングメッセージを載せるための下り方向のトランキングページング制御チャネルＴＰＣＣＨで発呼端末のトランキンググループにおけるリスニング端末にトランキングページングメッセージを送信するように設定されるページングユニット２０３を備える。
【００６１】
ＴＰＣＣＨに載せられたメッセージをカプセル化したデータパケットの媒体アクセス制御ＭＡＣヘッダーにおける予約ビット指示メッセージはトランキングサービスのメッセージである。
【００６２】
図２に示されるように、本実施形態に係る別の発展型ノードＢは、ページングしたリスニング端末の所在するセルで、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立するように設定される第１チャネル確立ユニット２０４を備える。
【００６３】
ＴＧＴＣＨとＴＧＣＣＨに載せられたメッセージをカプセル化したデータパケットの媒体アクセス制御ＭＡＣヘッダーにおける予約ビット指示メッセージはトランキングサービスのメッセージである。
【００６４】
発展型ノードＢは、ＴＧＣＣＨによりＴＧＴＣＨのチャネルリソース情報をリスニング端末に送信し、リスニング端末がＴＧＴＣＨチャネルを傍受するようにトリガーするように設定されるチャネルリソース情報送信ユニット２０５をさらに備える。
【００６５】
図２に示されるように、本実施形態に係る別の発展型ノードＢは、発呼端末とともに、発呼端末の上り下りサービスデータを載せる上り下り専用サービスチャネルと、発呼端末と発展型ノードＢとの間の制御メッセージを載せる上り下り専用制御チャネルと、を確立するように設定される第２チャネル確立ユニット２０６を備える。
【００６６】
上り下り専用サービスチャネルと上り下り専用制御チャネルに載せられたメッセージをカプセル化したデータパケットのＭＡＣヘッダーにおける予約ビット指示メッセージはトランキングサービスのメッセージである。
【００６７】
図３に示されるように、本実施形態は端末をさらに提供し、トランキング端末の上りメッセージを載せるための上り方向のトランキング共通制御チャネルＴＣＣＣＨで発展型ノードＢにコール要求メッセージを送信するように設定されるコール要求ユニット３０１を備える。
【００６８】
前記コール要求ユニット３０１は、コール要求メッセージをカプセル化する時、コール要求メッセージをカプセル化したデータパケットの媒体アクセス制御ＭＡＣヘッダーにおける予約ビットを、コール要求メッセージがトランキングコール要求メッセージであることを指示するように設定することにより、上り方向のトランキング共通制御チャネルＴＣＣＣＨで発展型ノードＢにコール要求メッセージを送信するように設定される。
【００６９】
端末は、発展型ノードＢとともに確立された、発呼端末の上り下りサービスデータを載せる上り下り専用サービスチャネルにより、トランキングデータをスケジューリングプラットフォームＰＤＳに送信するように設定されるトランキングデータ送信ユニット３０２をさらに備える。
【００７０】
図４に示されるように、本実施形態に係る別の端末は、
発展型ノードＢから送信されるトランキングページングメッセージを受信し、且つ発展型ノードＢにページング応答メッセージを送信するように設定されるページング応答ユニット４０１と、
発展型ノードＢとともに、トランキングサービスの下りサービスデータを載せるための下り方向のトランキングサービスチャネルＴＧＴＣＨと、トランキングサービスの下り制御メッセージを載せるためのトランキング制御チャネルＴＧＣＣＨとを確立するように設定されるチャネル確立ユニット４０２と、を備える。
【００７１】
端末は、
ＴＧＣＣＨによりＴＧＴＣＨのチャネルリソース情報を受信し、予め受信されたトランキング無線ネットワーク一時識別子Ｔ−ＲＮＴＩでＴＧＣＣＨを復調し、ＴＧＴＣＨのチャネルリソース情報を取得するように設定される復調ユニット４０３と、
ＴＧＴＣＨを傍受し、ＰＤＳによりＴＧＴＣＨで送信される発呼端末のトランキングデータを受信するように設定される傍受ユニット４０４と、をさらに備える。
【００７２】
勿論、以上は本発明の具体的な実施形態の１つであり、本発明は上記具体的な形態に限定されるものではなく、本発明の精神及び趣旨を逸脱せずに、当業者は本発明に基づき対応する各種の変更や変形を行うことができ、それらの対応する変更や変形のすべては本発明に付される請求項の保護範囲に属すべきである。
【産業上の利用可能性】
【００７３】
本発明の実施例はＬＴＥシステム標準プロトコルを基に、上り下り方向にトランキングサービス専用論理チャネルを追加することにより、トランキング機能を実現し、同一のシステムにおいてＬＴＥサービスとトランキングサービスとの並行を同時にサポートする。ＬＴＥシステムを基にトランキング通信のニーズを満たすことができ、同一のシステムにおけるトランキングサービスとＬＴＥサービスとの共存を実現する。それにより、本発明は産業上の利用可能性が高い。
【図１】
0006002852.tif 000002
【図２】
0006002852.tif 000003
【図３】
0006002852.tif 000004
【図４】
0006002852.tif 000005